(57)【要約】  アドレス委譲エンティティを伴うモバイル通信システムにおける通信を容易にする方法を提供する。通信システムにアタッチするモバイルノードにはアドレスまたはアドレスプレフィクスが割り当てられ、アドレスまたはアドレスプレフィクスの割り当てが、モビリティ管理に関連するエンティティ、すなわちモビリティエンティティから、他の設定コンポーネント（２）に委譲される。設定コンポーネント（２）は、アドレスまたはアドレスプレフィクスをモバイルノードに割り当てることがモビリティエンティティから委譲されると、該委譲元モビリティエンティティに関する情報を記憶することを特徴とする。また、これに対応して、アドレス委譲をサポートするモバイル通信システムが開示される。
2011529651.tif 000002
【特許請求の範囲】
【請求項１】
アドレス委譲エンティティを伴うモバイル通信システムにおける通信を容易にする方法において、前記通信システムにアタッチするモバイルノードにはアドレスまたはアドレスプレフィクスが割り当てられ、前記アドレスまたはアドレスプレフィクスの割り当てが、モビリティ管理に関連するエンティティ、すなわちモビリティエンティティから、他の設定コンポーネント（２）に委譲され、
前記設定コンポーネント（２）は、アドレスまたはアドレスプレフィクスをモバイルノードに割り当てることがモビリティエンティティから委譲されると、該委譲元モビリティエンティティに関する情報を記憶することを特徴とする、モバイル通信システムにおける通信を容易にする方法。
【請求項２】
前記設定コンポーネント（２）によって記憶される情報が、前記委譲元モビリティエンティティのＩＰアドレスおよび／または識別子を含むことを特徴とする請求項１に記載の方法。
【請求項３】
前記設定コンポーネント（２）によって記憶される情報が、それぞれのモバイルノードに割り当てられたアドレスまたはアドレスプレフィクスに関する情報を含むことを特徴とする請求項１または２に記載の方法。
【請求項４】
前記設定コンポーネント（２）によって記憶される情報が、それぞれのモバイルノードの識別子に関する情報を含むことを特徴とする請求項１ないし３のいずれか１項に記載の方法。
【請求項５】
モビリティエンティティは、送信元ノードから宛先ノードへ向かうデータパケットを受信した場合、前記宛先ノードのアドレスまたはアドレスプレフィクスの割り当てを委譲したモビリティエンティティに関する情報を要求するために前記設定コンポーネント（２）と連絡を取ることを特徴とする請求項１ないし４のいずれか１項に記載の方法。
【請求項６】
前記要求の入力パラメータが、前記宛先ノードのＩＰアドレスまたはアドレスプレフィクス、および／または、前記宛先ノードの識別子を含むことを特徴とする請求項５に記載の方法。
【請求項７】
前記設定コンポーネント（２）は、前記要求を受信した場合、要求された情報を自己のデータベース（３）エントリから読み出し、それを前記要求元モビリティエンティティに返すことを特徴とする請求項５または６に記載の方法。
【請求項８】
前記要求元モビリティエンティティが、前記設定コンポーネント（２）から受信した情報を用いて、前記宛先ノードのアドレスまたはアドレスプレフィクスの割り当てを委譲した前記モビリティエンティティと直接連絡を取ることを特徴とする請求項７に記載の方法。
【請求項９】
前記直接の連絡が、前記送信元ノードと前記宛先ノードとの間の最適化経路の設定を制御するために利用されることを特徴とする請求項８に記載の方法。
【請求項１０】
複数の設定コンポーネントの場合、前記通信システム（１）の前記設定コンポーネント（２）のそれぞれによって割り当て可能なアドレスまたはアドレスプレフィクスのプールを管理する上位エンティティ（４）を動作させることを特徴とする請求項１ないし９のいずれか１項に記載の方法。
【請求項１１】
前記上位エンティティ（４）が、アドレスまたはアドレスプレフィクスの前記プールに変更があるたびに更新されることを特徴とする請求項１０に記載の方法。
【請求項１２】
モビリティエンティティは、送信元ノードから宛先ノードへ向かうデータパケットを受信した場合、前記設定コンポーネント（２）のいずれが、前記宛先ノードのアドレスまたはアドレスプレフィクスの委譲された割り当てを担当しているかを見出すために、まず前記上位エンティティ（４）と連絡を取った後、前記宛先ノードのアドレスまたはアドレスプレフィクスの割り当てを委譲したモビリティエンティティに関する情報を要求するために、前記識別された設定コンポーネント（２）と連絡を取ることを特徴とする請求項１０または１１に記載の方法。
【請求項１３】
前記モビリティエンティティと前記設定サーバ（２）との間での通信が、標準のインタフェースプロトコルによって、特に、ＤＨＣＰ（Dynamic Host Configuration Protocol, ＲＦＣ２１３１）、ＲＡＤＩＵＳ（Remote Authentication Dial-In User Service, ＲＦＣ２８６５）、またはＤｉａｍｅｔｅｒ（ＲＦＣ３５８８）によって実行されることを特徴とする請求項１ないし１２のいずれか１項に記載の方法。
【請求項１４】
アドレス委譲をサポートするモバイル通信システムにおいて、該通信システムは、
該通信システム（１）にアタッチするとアドレスまたはアドレスプレフィクスが割り当てられるモバイルノードと、
モビリティ管理に関連する１つ以上のエンティティ、すなわちモビリティエンティティと、
前記１つ以上のモビリティエンティティから前記アドレスまたはアドレスプレフィクスの割り当てが委譲される少なくとも１つの設定コンポーネント（２）と
を有し、
前記設定コンポーネント（２）は、アドレスまたはアドレスプレフィクスをモバイルノードに割り当てることがモビリティエンティティから委譲されると、該委譲元モビリティエンティティに関する情報を記憶するように構成される
ことを特徴とするモバイル通信システム。
【請求項１５】
前記設定コンポーネント（２）が、動的ホスト設定サーバまたは認証・許可サーバであることを特徴とする請求項１４に記載のシステム。
【請求項１６】
前記設定コンポーネント（２）が、前記情報が記憶されるデータベース（３）を有することを特徴とする請求項１４または１５に記載のシステム。
【請求項１７】
前記通信システム（１）の前記設定コンポーネント（２）のそれぞれによって割り当て可能なアドレスまたはアドレスプレフィクスのプールを管理する上位エンティティ（４）を有することを特徴とする請求項１４ないし１６のいずれか１項に記載のシステム。
【発明の詳細な説明】
【技術分野】
【０００１】
本発明は、アドレス委譲エンティティを伴うモバイル通信システムにおける通信を容易にする方法に関する。前記通信システムにアタッチするモバイルノードにはアドレスまたはアドレスプレフィクスが割り当てられ、前記アドレスまたはアドレスプレフィクスの割り当ては、モビリティ管理に関連するエンティティ、すなわちモビリティエンティティから、他の設定コンポーネントに委譲される。
【０００２】
また、本発明は、アドレス委譲をサポートするモバイル通信システムに関する。本システムは、該通信システムにアタッチするとアドレスまたはアドレスプレフィクスが割り当てられるモバイルノードと、モビリティ管理に関連する１つ以上のエンティティ、すなわちモビリティエンティティと、前記１つ以上のモビリティエンティティから前記アドレスまたはアドレスプレフィクスの割り当てが委譲される少なくとも１つの設定コンポーネントとを有する。
【背景技術】
【０００３】
将来のモバイル通信ネットワークに対して検討されているＩＰベースのモビリティ管理のためのプロトコルは、ＩＰアドレスまたはＩＰアドレスプレフィクスの割り当てが、モビリティ管理に関連するエンティティから、ネットワークの別の専用エンティティ、例えば動的ホスト設定（Dynamic Host Configuration）のためのサーバ（例えばＤＨＣＰサーバ）や認証・許可（Authentication and Authorization）のためのサーバ（例えばＡＡＡサーバ）に委譲可能であるように設計される。
【０００４】
アドレス委譲に関連する従来の研究としては、以下の文書がある。
・プロキシモバイルＩＰｖ６（draft-ietf-netlmm-proxymip6-11.txt）
・ＰＭＩＰｖ６のためのＤＨＣＰｖ６ベースのホームネットワークプレフィクス委譲（draft-sarikaya-netlmm-prefix-delegation-01.txt）
・ＩＰｖ６プレフィクス委譲の要件（ＩＥＴＦ  ＲＦＣ３７６９）
・Ｒａｄｉｕｓ委譲ＩＰｖ６プレフィクスの属性（ＩＥＴＦ  ＲＦＣ４８１８）
【０００５】
簡単のため、アドレスまたはアドレスプレフィクスを、以下では略して「アドレス」という。モバイル通信システムにおけるモビリティ管理に関連するエンティティを、以下では略して「モビリティエンティティ」という。モビリティエンティティからアドレス割り当て機能が委譲されるエンティティを「設定コンポーネント」という。また、「通信」という用語は広義に解すべきであり、モバイルネットワークノード間のあらゆる種類のデータ交換、特に音声、動画およびマルティメディアデータを含む。
【０００６】
一般に、アタッチするモバイルノードのための有効なアドレスを取得するには、モバイルノードの到達可能性を保証するモビリティエンティティが、設定コンポーネントに対して、有効なＩＰアドレスを要求する。これに応答して、設定コンポーネントは、ＩＰアドレスをそのモバイルノードに提供し、割り当てたＩＰアドレスとともにそのモバイルノードの識別子を自己のローカルデータベースに記憶する。したがって、設定コンポーネントのデータベースエントリによれば、モバイルノードは、割り当てられたアドレス（またはプレフィクス）に常に結びつけることができる。
【０００７】
図１は、モバイル通信システム１を示している。ここで、２つのモバイル装置、すなわちモバイルノードＡおよびモバイルノードＢが、モビリティエンティティＡおよびＢという相異なるモビリティエンティティに登録される。モビリティエンティティＡおよびＢの両者はそれぞれ、ある設定サーバにアドレス（またはアドレスプレフィクス）の割り当てを委譲する。図示した状況では、モビリティエンティティＡおよびＢは両方とも、同一の設定サーバを選択している。
【０００８】
具体的には、第１のステップ（それぞれステップＡ１およびＢ１で示す）で、各モバイルノードが、それぞれのモビリティエンティティに登録要求を送信する。別法として、あるネットワークエンティティ（例えば、プロキシモバイルＩＰｖ６によるモビリティゲートウェイ）が、モビリティエンティティにこのような登録要求を送信するというモバイルノードの役割を引き継ぐ。ステップＡ２およびＢ２で、それぞれ、モビリティエンティティＡおよびＢは、設定サーバにアドレス割り当てを委譲する。設定サーバは、アドレス「Ａｄｄｒ  Ａ」（モビリティエンティティＡに対して）および「Ａｄｄｒ  Ｂ」（モビリティエンティティＢに対して）を割り当て、それぞれステップＡ３およびＢ３で示すように、それらを要求元エンティティに返す。登録手続きを完了するため、モビリティエンティティＡ（およびＢ）は、割り当てられたアドレス「Ａｄｄｒ  Ａ」（「Ａｄｄｒ  Ｂ」）を含む登録応答をモバイルノードＡに（モバイルノードＢに）送信する。これは図１において、ステップＡ４（ステップＢ４）に示されている。別法として、登録応答は、モバイルノードに代わって要求を送信したネットワークエンティティに送信される。このような場合、このネットワークエンティティは、割り当てられたアドレスをモバイルノードに転送する。
【０００９】
図１に関して説明した具体的状況においては、例えば、モバイルノードＡがモバイルノードＢにパケットを送信しようとすると、問題が生じる可能性がある。この場合、すべてのデータトラフィックは、両方のモビリティエンティティを通る既定経路をとる。このような既定ルーティング経路は不利な場合があり、ネットワークリソースを過度に浪費することになりかねない。さらに悪いことには、既定経路はすぐに過負荷になる可能性がある。
【発明の概要】
【発明が解決しようとする課題】
【００１０】
したがって、本発明の目的は、頭書のようなモバイル通信システムにおける通信を容易にする方法およびモバイル通信システムにおいて、複数のモビリティエンティティを有するトポロジーにおける通信が、確実かつ効率的に可能となるような改良およびさらなる展開を行うことである。
【課題を解決するための手段】
【００１１】
本発明によれば、上記の目的は、請求項１の構成を備えた方法によって達成される。この請求項に記載の通り、本方法は、以下のことを特徴とする。すなわち、前記設定コンポーネントは、アドレスまたはアドレスプレフィクスをモバイルノードに割り当てることがモビリティエンティティから委譲されると、該委譲元モビリティエンティティに関する情報を記憶する。
【００１２】
また、上記の目的は、独立請求項１４の構成を備えたモバイル通信システムによって達成される。この請求項に記載の通り、本システムは、以下のことを特徴とする。すなわち、前記設定コンポーネントは、アドレスまたはアドレスプレフィクスをモバイルノードに割り当てることがモビリティエンティティから委譲されると、該委譲元モビリティエンティティに関する情報を記憶するように構成される。
【００１３】
本発明によって初めて認識されたこととして、一部のモバイル通信ネットワーク、特にネットワークベースのモビリティ管理を備えたネットワークにおいては、アタッチするモバイルノードへのアドレスの割り当てを設定サーバに委譲したモビリティエンティティの発見が必要となる場合がある。図１の状況において、モビリティエンティティＡは、パケットの宛先ノードの（すなわち、モバイルノードＢの）モビリティエンティティがどのモビリティエンティティであるかを見出さなければならない場合がある。さらに認識されたこととして、この情報は、例えば、モビリティエンティティの制御下で経路最適化を実現するために、トラフィック送信元のモビリティエンティティが宛先のモビリティエンティティを発見しシグナリングを行う場合に有益となる。その場合、上記の最適化経路の設定は、両方のモビリティエンティティの制御下で行うことができる。
【００１４】
図１の例示的適用状況では、モバイルノードＢのモビリティエンティティに関する情報は、モバイルノードＡからモバイルノードＢへのパケットのルーティングを決定するための情報としても役立つ場合がある。
【００１５】
一般に、本発明によれば、モバイルノードのアドレスを、関連するモビリティアンカーの（すなわち、モビリティエンティティの）アドレスへと解決することによって、設定サーバを通じてモビリティアンカーを発見する。このように、モバイルノードのアドレスを、そのモバイルノードのためのアドレス委譲を要求したモビリティアンカーのアドレスへと解決することは、アドレス割り当ての技術分野においてこれまで考慮されてこなかったものである。
【００１６】
このような背景において、モビリティエンティティがモバイルノードに対するアドレス割り当てを設定コンポーネントに委譲する場合、本発明は、設定コンポーネントが、委譲元モビリティエンティティに関する情報を記憶することを提案する。例えば、この情報を利用することにより、送信元ノードのモビリティエンティティは、宛先ノードのモビリティエンティティと直接連絡を取ることが可能となるので、設定コンポーネントの関与なしに、モビリティエンティティの完全な制御下で経路最適化を実現することができる。本発明が提案する方法は、委譲元ノードの発見を容易にする。これは、例えば経路最適化サポートのような、将来のモバイル通信ネットワークにおける高度なモビリティ管理を実現するために重要となる。
【００１７】
好ましい実施形態によれば、設定コンポーネントは動的ホスト設定（ＤＨＣ）サーバまたは認証・許可サーバである。この種のサーバは、従来のモバイル通信ネットワークに既に普及している。すなわち、新たな専用のエンティティは不要であり、既存のサーバの機能を拡張するだけでよい。
【００１８】
有利な態様として、設定コンポーネントは、委譲元モビリティエンティティに関する補足情報が記憶されるデータベースを有する。その結果、設定サーバは、他のネットワークノードから要求を受信した際に、データに容易にアクセスすることができる。
【００１９】
好ましい実施形態によれば、設定コンポーネントによって記憶される情報は、設定コンポーネントにアドレス割り当てを委譲した各モビリティエンティティのＩＰアドレスおよび／または識別子を含む。モビリティエンティティのルーティング可能ＩＰアドレス等の委譲元エンティティに関するこのような補足情報を設定サーバのデータベースで維持管理することにより、ネットワークの他のノードが、モビリティエンティティを永続的かつ直接的にアドレスすることが可能となる。
【００２０】
また、設定コンポーネントによって記憶される情報は、モバイルノードに割り当てられたアドレスまたはアドレスプレフィクスに関する情報、および／または、モバイルノードの識別子に関する情報を含むようにしてもよい。この結合情報により、モバイルノードは、それぞれの委譲元モビリティエンティティとともに、割り当てられたアドレスに常に結びつけられることが可能となる。
【００２１】
特に経路最適化を効率的に準備するため、モビリティエンティティは、送信元ノードから宛先ノードへ向かうデータパケットを受信した場合、宛先ノードのアドレスまたはアドレスプレフィクスの割り当てを委譲したモビリティエンティティに関する情報を要求するために設定コンポーネントと連絡を取ってもよい。有利な態様として、その要求の入力パラメータは、少なくとも、宛先ノードの完全な個別ＩＰアドレスまたはアドレスプレフィクス、および／または、宛先ノードの識別子を含む。この情報により、設定コンポーネントは、要求された情報を自己のデータベースで容易に探索することができる。
【００２２】
次のステップで、設定コンポーネントは、要求を受信した場合、要求された情報を自己のデータベースエントリから読み出し、それを要求元モビリティエンティティに返すようにしてもよい。要求された委譲元エンティティ情報（例えば、そのルーティング可能ＩＰアドレス）の提供は、信頼できるネットワーク要素からその要求が発信された場合に制限してもよい。
【００２３】
最適化経路を設定するため、要求元モビリティエンティティは、設定コンポーネントから受信した情報を用いて、宛先ノードのアドレスまたはアドレスプレフィクスの割り当てを委譲したモビリティエンティティと直接連絡を取ってもよい。これにより、要求元モビリティエンティティは、最適化経路設定プロセスを完全に制御することができる。
【００２４】
比較的大規模なネットワークでは、分散化手法を実施することにより、通信システムに複数の設定コンポーネントを設けると有利であることがわかる。このような場合、複数の設定コンポーネントのそれぞれによって割り当て可能なアドレスまたはアドレスプレフィクスのプールを管理するように構成された上位エンティティを動作させてもよい。信頼性を高めるため、上位エンティティは、アドレスまたはアドレスプレフィクスのプールに変更があるたびに更新されてもよい。例えば、あるモバイルノードが、位置変更等により、別の設定コンポーネントを通じてアドレス委譲を実行する別のモビリティエンティティ経由でネットワークにアタッチする場合、この変更が、（そのモバイルノードの登録解除の意味で）旧設定コンポーネントによって、（そのモバイルノードの登録の意味で）新設定コンポーネントによって、またはそれら両方によって、上位エンティティに報告される。
【００２５】
有利な態様として、上位エンティティは、一種のリダイレクトエージェントとして機能する。すなわち、モビリティエンティティは、送信元ノードから宛先ノードへ向かうデータパケットを受信した場合、システムのどの設定コンポーネントが、宛先ノードのアドレスまたはアドレスプレフィクスの委譲された割り当てを担当しているかを見出すために、まず上位エンティティと連絡を取る。その後、すなわち、正しい設定コンポーネントを発見した後、モビリティエンティティは、宛先ノードのアドレスまたはアドレスプレフィクスの割り当てを委譲したモビリティエンティティに関する情報を要求するために、識別された設定コンポーネントと連絡を取ることができる。
【００２６】
モビリティエンティティと設定サーバとの間で効率的な通信を容易に実施するため、標準のインタフェースプロトコルの配備を提案する。有利な態様として、この通信は、既存のプロトコル、例えば、ＲＦＣ２１３１によるＤＨＣＰ（Dynamic Host Configuration Protocol）、ＲＦＣ２８６５によるＲＡＤＩＵＳ（Remote Authentication Dial-In User Service）、またはＲＦＣ３５８８によるいわゆる「Ｄｉａｍｅｔｅｒ」プロトコル等により実行される。
【００２７】
本発明を有利な態様で実施するにはいくつもの可能性がある。このためには、一方で請求項１および１４に従属する諸請求項を参照しつつ、他方で図面により例示された本発明の好ましい実施形態についての以下の説明を参照されたい。図面を用いて本発明の好ましい実施形態を説明する際には、本発明の教示による好ましい実施形態一般およびその変形例について説明する。
【図面の簡単な説明】
【００２８】
【図１】背景技術による、モバイル装置をモビリティエンティティに登録する際のアドレス委譲手続きを示す模式図である。
【図２】本発明の一実施形態による、モビリティエンティティの発見に基づく経路最適化を例示する図である。
【図３】本発明の別の実施形態による、複数の設定サーバを利用したモビリティエンティティの発見を例示する図である。
【発明を実施するための形態】
【００２９】
図２は、本発明の一実施形態によるモバイル通信システム１を例示している。本実施形態において、モビリティエンティティは、設定サーバ２を利用して互いを発見する。
【００３０】
図２の状況において、モバイルノードＡおよびモバイルノードＢは、図１に関して説明した登録、アドレス委譲、割り当て手続きを既に実行していると仮定する。その結果、モバイルノードＡはモビリティエンティティＡに登録しており、モビリティエンティティＡは設定サーバ２にアドレス割り当てを委譲している。モバイルノードＡには、アドレス「Ａｄｄｒ  Ａ」が割り当てられている。同様に、モバイルノードＢはモビリティエンティティＢに登録しており、モビリティエンティティＢもまた設定サーバ２にアドレス割り当てを委譲している。モバイルノードＢには、アドレス「Ａｄｄｒ  Ｂ」が割り当てられている。
【００３１】
本発明によれば、設定コンポーネント２は、委譲元モビリティエンティティＡおよびＢに関する情報を記憶する。すなわち、モビリティエンティティＡがモバイルノードＡに対するアドレス割り当てを設定サーバ２に委譲したとき、設定サーバ２は、モビリティエンティティＡのＩＰアドレスを自己のデータベース３に記憶している。その結果、設定サーバ２のデータベース３は、モバイルノードＡ、モバイルノードＡのアドレス「Ａｄｄｒ  Ａ」、および委譲元モビリティエンティティＡのＩＰアドレスを結びつける結合エントリを含む。対応して、同じことがモバイルノードＢにも当てはまる。こうして、設定サーバ２はすべてのアドレスおよびＩＤを自己のデータベース３内に有するので、モビリティエンティティ発見に関連するすべての情報を含むグローバルデータベースとして機能する。
【００３２】
上記で概略を説明した事前設定に基づいて、図２に例示する状況ではまず、モバイルノードＡが、モビリティエンティティＡを通じて、モバイルノードＢにデータパケットを送信する。データトラフィック全体が両方のモビリティエンティティを通じて、すなわちモビリティエンティティＡおよびモビリティエンティティＢを通じてルーティングされることを避けるため、モビリティエンティティＡは、モバイルノードＢのアドレスを、モバイルノードＢのモビリティエンティティＢのアドレスへと解決しようとする。この目的のため、モビリティエンティティＡは、対応する要求を設定サーバ２に送信する（ステップ１で示す）。設定サーバ２は、データベース管理エンティティとして機能するので、要求された情報を自己の拡張されたデータベース３から読み出し、モビリティエンティティＢに関する関連情報をモビリティエンティティＡに返す（ステップ２で示す）。
【００３３】
モビリティエンティティＢの識別に関する情報を設定サーバ２から受信すると、モビリティエンティティＡは、モビリティエンティティＢと直接連絡を取ることが可能となる（ステップ３で示す）。このような連絡を取る理由は、例えば、次のことに限定されないが、モバイルノードＡとモバイルノードＢとの間の最適化経路の設定を制御することが挙げられる。特に、最適化経路設定の結果として、モバイルノードＡからモバイルノードＢへ向かうデータパケットは、モバイルノードＡおよびモバイルノードＢのそれぞれのアクセスネットワークどうしの間で、モバイルノードのモビリティエンティティを経由せずに直接ルーティングされる。最適化経路を設定するためのモビリティエンティティ間のシグナリングに関する詳細は、本明細書の対象範囲外である。
【００３４】
また、モビリティエンティティＢに関して受信される情報（例えばアドレス）は、モバイルノードＢへのルーティング経路上でデータパケットの次ホップを見つけるための指示として、モビリティエンティティＡの役に立つ場合がある。これに関して、モバイルノードＢのアドレスは仮想ＩＰアドレスかもしれないことに注意することが重要である。この場合、モバイルノードのＩＰアドレスプレフィクスがモビリティエンティティのＩＰアドレスプレフィクスと一致しない可能性があるので、関連するモビリティエンティティのルーティング可能ＩＰアドレスを導出することが特に困難となる。設定サーバ２のデータベース３に記憶された、モビリティエンティティＢに関する補足情報により、モビリティエンティティＡは、この仮想ＩＰアドレスを、モビリティエンティティＢのトポロジー的に正しいルーティング可能ＩＰアドレスへと解決することが可能となる。
【００３５】
ステップ４に示すように、モビリティエンティティＢは、モビリティエンティティＡから受信された要求を確認することにより、モビリティエンティティＡおよびＢを経由してトラフィックがルーティングされないようにした、モバイルノードＡとモバイルノードＢとの間の最適化ルーティング経路を設定する。その結果、図２に関して説明した経路最適化の例示的使用例では、モビリティエンティティＡおよびＢからのトラフィックの負荷が軽減される。
【００３６】
図３は、複数の設定サーバを有するモバイル通信システム１を例示している。複数の設定サーバのうちの２つの設定サーバ２Ａ、２Ｂが図３に示されている。今度も、図２と同様、モバイルノードＡはモビリティエンティティＡに登録し、モバイルノードＢはモビリティエンティティＢに登録している。図２の実施形態とは異なり、モビリティエンティティＡおよびＢの両者は、アドレス割り当て委譲のために、相異なる設定サーバを選択している。モビリティエンティティＡは設定サーバ２Ａを選択しているが、モビリティエンティティＢは設定サーバ２Ｂを選択している。本発明によれば、設定サーバ２Ａおよび２Ｂの両者は、各モバイルノードのデータベースエントリに、それぞれアドレス委譲元エンティティＡおよびＢに関する情報を記憶している。
【００３７】
モビリティエンティティＡは、モバイルノードＡからモバイルノードＢへ向かうデータパケットを受信すると、自己の設定サーバＡと連絡を取り、アドレスＢの割り当てを委譲したのはいずれかと問い合わせる（ステップ１）。設定サーバＡは、自己のデータベースエントリがアドレスＢに関連する結合情報を含んでいないことを認識する。その結果、設定サーバＡは、リダイレクトエージェントすなわちサーバ４と連絡を取り、モバイルノードＢのアドレスＢを含むアドレスプールを所有する設定サーバを問い合わせる（ステップ２で示す）。
【００３８】
リダイレクトエージェント４は、通信システム１の各設定サーバ２Ａ、２Ｂが割り当て可能なアドレスプールの知識を有する上位エンティティとして機能する。リダイレクトエージェント４は、それらのアドレスに変更があるたびに更新されることになっている。このように構成されているため、リダイレクトエージェント４は、与えられた委譲アドレスを有するモビリティエンティティを担当しているのがいずれの設定サーバであるかを見出すために使用可能である。
【００３９】
ステップ３に示すように、リダイレクトエージェント４は、設定サーバ２Ｂが、アドレスＢの割り当てのために委譲されている設定コンポーネントであることを設定サーバ２Ａに報告する。次のステップ（ステップ４）で、設定サーバ２Ａは、設定サーバ２Ｂと連絡を取り、アドレスＢのモビリティエンティティを問い合わせる。設定サーバ２ＢはモビリティエンティティＢのＩＰアドレスを返し（ステップ５）、設定サーバ２ＡはこれをモビリティエンティティＡに転送する（ステップ６）。そして、図２に関して既に説明したように、モビリティエンティティＡは、例えば経路最適化のために、モビリティエンティティＢと直接連絡を取ることができる（ステップ７）。
【００４０】
まとめると、本発明は一般に、ネットワークエンティティが、ＩＰアドレスの委譲先のノードのアドレス／プレフィクスを単に参照するだけで、アドレス委譲元エンティティの情報（ＩＰアドレスまたは識別子）を発見することを可能にする。これにより、モビリティ管理関連エンティティは、アドレス／プレフィクス割り当てを委譲する場合に、相互に連絡を取ることが可能となる。その結果、具体的使用例においては、本発明によれば、ネットワークベースのモビリティ状況において、モビリティエンティティの制御下にあるモバイル端末間で最適化経路を設定することが可能となる。
【００４１】
上記の説明および添付図面の記載に基づいて、当業者は本発明の多くの変形例および他の実施形態に想到し得るであろう。したがって、本発明は、開示した具体的実施形態に限定されるものではなく、変形例および他の実施形態も、添付の特許請求の範囲内に含まれるものと解すべきである。本明細書では特定の用語を用いているが、それらは総称的・説明的意味でのみ用いられており、限定を目的としたものではない。
【図１】
2011529651.tif 000003
【図２】
2011529651.tif 000004
【図３】
2011529651.tif 000005
【国際調査報告】
2011529651.tif 000006
2011529651.tif 000007